(57)【要約】      （修正有）【課題】環状のリボン片の両端部の接続を手作業で行うことが可能である接続バンド及び接続バンドを含むラッピングリボンを提供する。【解決手段】接続バンド１４は、帯状片１８と、帯状片１８上に配置され帯状片１８を横切る２つの部分２０ａ、２０ｂを有する輪ゴム２０と、帯状片１８上に配置され帯状片１８の長手方向へ伸びる両面テープ片２２とを備える。両面テープ片２２はその両片面のうちの一方の片面において帯状片１８及び輪ゴム２０の２つの部分に接着されている。接続バンド１４は、ラッピングリボンを製造するために、その両面テープ片２２の他の一方の片面においてリボン片の両端部に接着され、また、その帯状片１８及び両面テープ片２２においてこれらを横断する方向へ切断される。【選択図】図３
0003216388.tif 000002
【実用新案登録請求の範囲】
【請求項１】
リボン片の両端部を互いに接続するための接続バンドであって、
帯状片と、
前記該帯状片上に配置され前記帯状片を横切る２つの部分を有する輪ゴムと、
前記帯状片上に配置され該帯状片の長手方向へ伸びる両面テープ片であってその両片面のうちの一方の片面において前記帯状片及び前記輪ゴムの２つの部分に接着された両面テープ片とを備える、接続バンド。
【請求項２】
前記輪ゴムは前記帯状片の長手方向へ引き伸ばされた状態におかれている、請求項１に記載の接続バンド。
【請求項３】
前記帯状片及び両面テープ片は、前記リボン片の幅寸法以下の幅寸法を有する、請求項１又は２に記載の接続バンド。
【請求項４】
前記両面テープ片の両片面のうちの他の一方の片面はこれに接着された剥離紙片により保護されている、請求項１〜３のいずれか１項に記載の接続バンド。
【請求項５】
両端部を有するリボン片と、接続バンドとを備え、
前記接続バンドは、帯状片と、該帯状片上に配置され前記帯状片を横切る２つの部分を有する輪ゴムと、前記帯状片上に配置され該帯状片の長手方向へ伸びる両面テープ片であってその両片面のうちの一方の片面において前記帯状片及び前記輪ゴムの２つの部分に接着された両面テープ片とを備え、
前記接続バンドは、前記リボン片の両端部に前記両面テープ片の両片面のうちの他の一方の片面において接着され、また、前記帯状片及び前記両面テープ片においてこれらを横断する方向へ切断されている、ラッピングリボン。
【考案の詳細な説明】
【技術分野】
【０００１】
本考案は、接続バンド及び該接続バンドを含むラッピングリボンに関する。
【背景技術】
【０００２】
従来、商品又はその包装（商品等）を装飾するためにこれに掛けられる環状のラッピングリボンが提案されている。このラッピングリボンは、リボン片と該リボン片の両端部に固定された伸縮性を有する接続片とからなる。環状のラッピングリボンは、これを商品等に掛けたとき、接続片の伸縮により、商品等の形状により適合しあるいはよりフィットする。
【０００３】
ところで、環状のラッピングリボンの製造に際し、前記リボン片に対する接続片の取り付けは、通常、工場において機械的手段を用いて行われる。しかし、これを工場以外の場所、例えば商品を販売する店舗において手作業で行うことができれば、必要に応じて、また、商品等の大きさにより適合する環状のラッピングリボンを準備することができる。
【先行技術文献】
【特許文献】
【０００４】
【特許文献１】特開２００３−３４２８６１号公報
【考案の概要】
【考案が解決しようとする課題】
【０００５】
本考案の目的は、環状のリボン片の両端部の接続を手作業で行うことが可能である接続バンドを提供することにある。また、本考案の他の目的は前記接続バンドを含む環状のラッピングリボンを提供することにある。
【課題を解決するための手段】
【０００６】
本考案に係る接続バンドは、帯状片と、該帯状片上に配置され前記帯状片を横切る２つの部分を有する輪ゴムと、前記帯状片上に配置され該帯状片の長手方向へ伸びる両面テープ片であってその両片面のうちの一方の片面において前記帯状片及び前記輪ゴムの２つの部分に接着された両面テープ片とを備える。
【０００７】
本考案に係るラッピングリボンは、両端部を有するリボン片と、前記接続バンドとを備える。ここにおいて、前記接続バンドは、前記リボン片の両端部に前記両面テープ片の両片面のうちの他の一方の片面において接着され、また、前記帯状片及び前記両面テープ片においてこれらを横断する方向へ切断されている。
【０００８】
本考案に係る接続バンドによるリボン片の両端部の接続は次のようにして行うことができる。すなわち、前記接続バンドを、その両面テープの両片面のうちの他の一方の片面において、互いに突き合わされた前記リボン片の両端部に接着する。次に、前記バンドをその帯状片と両面テープ片とにおいてその横断方向に切断する。これにより、前記リボン片の両端部が前記接続バンドの輪ゴムを介して相互に接続された状態におかれる。その結果、環状を呈するラッピングリボンが得られる。前記環状のラッピングリボンを得るために行う前記リボン片の両端部に対する前記接続バンドの接着及び前記輪ゴムを残しての切断は共に手作業で行うことが可能である。
【０００９】
このことから、例えば商品を販売する店舗において、商品又はその包装（商品等）の大きさを考慮した長さを有する環状のラッピングリボンを容易にまた迅速に準備することができる。さらに、前記環状のラッピングリボンの使用に際し、前記接続バンドの輪ゴムの伸縮性を利用して、前記商品等の形状により適合するようにあるいはフィットするように、また、外れにくいように前記商品等に掛けることが可能である。
【００１０】
前記接続バンドの輪ゴムはその２つの部分間において引張状態におかれたものとすることができる。これによれば、前記リボン片の両端部への前記接続バンドの接着後、前記接続バンドの帯状片及び両面テープ片を切断したとき、前記リボン片の両端部が前記輪ゴムの弾性復帰力を受けて互いに引張られる。その結果、前記リボン片の両端部がこれらの相互間隔を狭められあるいは互いに重なり合う状態におかれる。これにより、環状のラッピングリボンを前記商品等に掛けたときに伸長状態におかれる前記輪ゴムの表出の程度をより少なくし、前記環状のラッピングリボンの見映えをより良くすることができる。
【００１１】
前記帯状片及び両面テープ片は、好ましくは、前記リボン片の幅寸法以下の幅寸法を有する。また、好ましくは、前記両面テープ片の両片面のうちの他の一方の片面がこれに接着された剥離紙片により保護されている。
【図面の簡単な説明】
【００１２】
【図１】接続バンドを含む環状のラッピングリボンの斜視図である。
【図２】接続バンドの平面図である。
【図３】接続バンドの底面図である。
【図４】商品等に掛けられたラッピングリボンの表側から見た斜視図である。
【図５】商品等に掛けられたラッピングリボンの裏側から見た斜視図である。
【図６】他の例の接続バンドと、該接続バンドにより相互接続されたリボン片の両端部とを示す平面図である。
【考案を実施するための形態】
【００１３】
図１を参照すると、環状のラッピングリボンが全体に符号１０で示されている。ラッピングリボン１０は、商品又はその包装（商品等）Ｐの装飾のために商品等Ｐに掛けられる（図４及び図５参照）。
【００１４】
ラッピングリボン１０は、リボン片１２と、該リボン片の両端部１２ａ、１２ｂを互いに接続する接続バンド１４とを備える。図示のラッピングリボン１０は、さらに、リボン片１２に結び付けられ該リボン片の両端部１２ａ、１２ｂ間に位置する蝶結び１６を備える。また、接続バンド１４は、ラッピングリボン１０の装飾性の毀損を回避するため、好ましくはラッピングリボン１０の内側の周面上に配置される。
【００１５】
ラッピングリボン１０の製造に供されるリボン片１２は、ナイロン繊維、ポリエステル繊維のような合成繊維製の織物、アセテートのような化学繊維製の織物、天然繊維製の織物、ポリプロピレン製やビニル製のテープ等からなる。
【００１６】
リボン片１２の両端部１２ａ、１２ｂを相互に接続する接続バンド１４は、図２及び図３に示すように、帯状片１８と、輪ゴム２０と、両面テープ片２２とを備える。
【００１７】
図示の帯状片１８は、好ましくはリボン片１２と同様のリボン片からなり、また、好ましくはリボン片１２の幅寸法以下の幅寸法を有する。また、帯状片１８は、ラッピングリボン１０の装飾性を考慮して、例えばリボン片１２が有する色彩、模様等と同じ色彩、模様等を有するものとすることができる。
【００１８】
輪ゴム２０は帯状片１８上に配置され帯状片１８を横切る２つの部分２０ａ、２０ｂを有する。図示の輪ゴム２０は２ｍｍの太さ及び２５ｍｍの直径を有する。但し、輪ゴム２０は、ラッピングリボン１０の装飾性を考慮した太さ、直径等を有するものを選定することができる。
【００１９】
また、両面テープ片２２は帯状片１８上に配置すなわち輪ゴム２０の上から帯状片１８上に重ねられ、帯状片１８の長手方向へ伸びている。図示の両面テープ片２２は帯状片１８と同じ長さ寸法を有する。また、両面テープ片２２は、好ましくは帯状片１８の幅寸法以下の幅寸法を有する。接続バンド１４の帯状片１８及び両面テープ片２２の幅寸法をリボン片１２の幅寸法以下とするときは、リボン片１２上からの接続バンド１４のはみ出しを少なくし、環状のラッピングリボン１０の見栄えを良好なものとすることができる。
【００２０】
帯状片１８上に重ね合わされた両面テープ片２２は、その両片面すなわち接着剤が塗布された両片面のうちの一方の片面（図示せず）において帯状片１８と輪ゴム２０の２つの部分２０ａ、２０ｂとに接着されている。これによれば、輪ゴム２０の両部分２０ａ、２０ｂが帯状片１８と両面テープ片２２との間にあって帯状片１８に固定され、輪ゴム２０の両部分２０ａ、２０ｂ間の他の部分が伸縮可能な状態におかれている。好ましくは、両面テープ片２２の両片面のうちの他の一方の片面２２ａはこれに接着された剥離紙片（図示せず）により保護され、前記剥離紙は接続バンド１４の使用に際し、両面テープ片２２の他の一方の片面２２ａから剥離される。
【００２１】
接続バンド１４によるリボン片１２の両端部１２ａ、１２ｂの相互接続は、次のようにして、行うことができる。
【００２２】
先ず、リボン片１２の両端部１２ａ、１２ｂをこれらの間に隙間がある状態、又は、図示の例におけるように互いに突き合わせた状態にする。次に、接続バンド１４の両面テープ片２２の他の一方の片面２２ａをリボン片１２の両端部１２ａ、１２ｂに向け、されに両端部１２ａ、１２ｂ上に押し付ける。これにより、リボン片１２の両端部１２ａ、１２ｂが接続バンド１４を介して相互に接着される。
【００２３】
その後、接続バンド１４の帯状片１８と両面テープ片２２とを、これらの横断方向へ、リボン片１２の両端部１２ａ、１２ｂの突合せ面Ａ（図１参照）に沿って切断する。切断は、好ましくは接続バンド１４の長さの半分の箇所を横切る仮想の切断線ｃに沿って行う。その結果、リボン片１２の両端部１２ａ、１２ｂが接続バンド１４の輪ゴム２０を介して相互に接続された状態におかれる。これにより、環状を呈するラッピングリボン１０が得られる。
【００２４】
環状のラッピングリボン１０を得るために行うリボン片１２の両端部１２ａ、１２ｂに対する接続バンド１４の前記接着及び輪ゴム２０を残しての切断は共に手作業で行うことが可能である。このことから、例えば商品を販売する店舗において、前記商品等の大きさを考慮した長さを有する環状のラッピングリボン１０を容易にまた迅速に準備することができる。さらに、環状のラッピングリボン１０の使用に際し、接続バンド１４の輪ゴム２０の伸縮性を利用して、前記商品等の形状により適合するようにあるいはフィットするように、また、外れにくいように前記商品等に掛けることが可能である。
【００２５】
接続バンド１４においてその輪ゴム２０はその２つの部分２０ａ、２０ｂ間において引張状態におかれたものとすることができる。これによれば、リボン片１２の両端部１２ａ、１２ｂへの接続バンド１４の接着後に接続バンド１４の帯状片１８及び両面テープ片２２を切断したとき、リボン片１２の両端部１２ａ、１２ｂが輪ゴム２０の弾性復帰力を受けて互いに引っ張られる。その結果、図６に示すように、リボン片１２の両端部１２ａ、１２ｂがこれらの相互間隔を狭められあるいは互いに重なり合う状態におかれる。これにより、環状のラッピングリボン１０を前記商品等に掛けたときに伸長状態におかれる輪ゴム２０の表出の程度をより少なくし、環状のラッピングリボン１０の見映えをより良くすることができる。
【符号の説明】
【００２６】
１０  ラッピングリボン
１２  リボン片
１２ａ、１２ｂ  リボン片の両端部
１４  接続バンド
１８  帯状片
２０  輪ゴム
２０ａ、２０ｂ  輪ゴムの一部分
２２  両面テープ片
【図１】
0003216388.tif 000003
【図２】
0003216388.tif 000004
【図３】
0003216388.tif 000005
【図４】
0003216388.tif 000006
【図５】
0003216388.tif 000007
【図６】
0003216388.tif 000008